(57)【要約】【課題】商品の売上を伸ばす。【解決手段】外側から目視し得る箇所に、商品の税込価格であると共に１０円及び１円の端数がない金額を含む「○○○円ぽっきり」、「税込み○○○円」又は「税込み○○〇円ぽっきり」の表示を付する。前記表示に含まれるぽっきりを、かっきり、のみ、又はだけに代えて表示してもよい。前記表示に含まれる金額が、１００円、５００円、１０００円、２０００円、３０００円、５０００円、又は１００００円であることが好ましい。前記箇所が、商品の包装体又は商品と共に透明の袋体に入れられる台紙であることが好ましい。【選択図】        なし【特許請求の範囲】
【請求項１】
外側から目視し得る箇所に、商品の税込価格であると共に１０円及び１円の端数がない金額を含む「○○○円ぽっきり」の表示を付したことを特徴とする売上促進方法。
【請求項２】
外側から目視し得る箇所に、商品の税込価格であると共に１０円及び１円の端数がない金額を含む「税込み○○○円」の表示を付したことを特徴とする売上促進方法。
【請求項３】
外側から目視し得る箇所に、商品の税込価格であると共に１０円及び１円の端数がない金額を含む「税込み○○○円ぽっきり」の表示を付したことを特徴とする売上促進方法。
【請求項４】
前記表示に含まれるぽっきりを、かっきり、のみ、又はだけに代えた請求項１又は３に記載の売上促進方法。
【請求項５】
前記表示に含まれる金額が、１００円、５００円、１０００円、２０００円、３０００円、５０００円、又は１００００円である請求項１乃至４に記載の売上促進方法。
【請求項６】
前記箇所が、商品の包装体、ラベル又は商品と共に透明の袋体に入れられる台紙である請求項１乃至５に記載の売上促進方法。
【発明の詳細な説明】
【０００１】
【発明の属する技術分野】
本発明は、商品の売上を伸ばすことができる売上促進方法に関するものである。
【０００２】
【従来の技術】
販売される商品は、かならず商品の名称、内容、価格等の表示がされているものである。その表示の箇所は、商品の包装体、ラベル、商品と共に透明の袋体に入れられるシート等の台紙であり、いずれも外側から容易に目視し得る箇所である。
このため、商品の内容や価格等の表示によっては、購買者の購買意欲がかきたてられ、売上の促進を図ることができることもある。
【０００３】
ところで、商品の価格に関する表示は、例えば、定価（本体４８０円＋税）や定価（本体９８０円＋税）とあるだけで、他の箇所には商品の価格に関する表示はない。
その表示だけでは、税込みでいくらになるのかがわかりづらい。商品の金額を支払うときに、商品の金額が分らないと、レジ等で税込みの合計の金額が表示されてから初めて支払金額が分ることになる。その支払金額をみてから、財布からお金を取り出すことになるので、支払金額の１０円及び１円の桁が０でないと、財布の中にその支払金額に等しい硬貨等があるか把握しずらく、把握するまでに時間がかかることもある。その場合、レジが並ぶ原因の要素となることがある。
【０００４】
また、購買者の中には、１つの商品を買うために代金を支払うとき、１円硬貨を含む複数の硬貨を支払うことを嫌がる人もいることもあり得る。また、おつりに硬貨特に１円硬貨が複数含まれると、財布がふくれる原因となり、嫌がる人もいる。また、１つの商品を買おうとするときに、レジに多数の人がならんでいると、その商品の購買をまたの機会にすることもある。
【０００５】
また、本体価格と共に税の価格も表示されているものもある。例えば、定価（本体４８０円＋税２４円）と表示されている場合である。定価（本体４８０円＋税２４円）の表示から１つの商品の価格（支払金額（レジ等で支払う金額））が把握できたとしても、その支払金額が５０４円であると、４円という端数がでる。このように端数がでると、その商品１つだけを買う場合、おつりがないようにするには、少なくとも硬貨が５枚必要になり、その硬貨のお金がない場合には、おつりにより財布がふくれることから、購買意欲をなくすこともないではない。つまり、１０円以上の硬貨や紙幣で支払を行うと、おつりは１円硬貨を含む複数個になり、財布のなかの硬貨の枚数が増えて財布がふくれる原因となる。
【０００６】
また、購買者の中には、１つの商品を買うために代金を支払うとき、１円硬貨を含む複数の硬貨を支払うことを嫌がる人もいることもあり得る。また、おつりに硬貨特に１円硬貨が複数含まれると、財布がふくれる原因となり、嫌がる人もいる。また、１つの商品を買うときに、レジに多数の人がならんでいると、その商品の購買をまたの機会にすることもある。
【０００７】
【発明が解決しようとする課題】
そこで、本発明は、このような実情に鑑みなされたものであり、その目的は、商品の売上を伸ばすことができる売上促進方法を提供することにある。
【０００８】
【課題を解決するための手段】
前記目的を達成するために、本発明の売上促進方法は、外側から目視し得る箇所に、商品の税込価格であると共に１０円及び１円の端数がない金額を含む「○○○円ぽっきり」、「税込み○○○円」、又は「税込み○○○円ぽっきり」の表示を付したものである。
前記表示に含まれるぽっきりを、かっきり、のみ、又はだけに代えて表示してもよい。
前記表示に含まれる金額が、１００円、５００円、１０００円、２０００円、３０００円、５０００円、又は１００００円であることが好ましい。
前記箇所が、商品の包装体又は商品と共に透明の袋体に入れられる台紙であることが好ましい。
【０００９】
【発明の実施の形態】
次に本発明を詳細に説明する。
本発明は、外側から目視し得る箇所に、商品の税込価格であると共に１０円及び１円の端数がない金額を含む「○○○円ぽっきり」、「税込み○○○円」又は「税込み○○○円ぽっきり」の表示を付したものである。
【００１０】
本発明における商品とは、販売されるものであればどのようなものでもよく、例えば、洗剤、石鹸類や雑貨などの日用品、電気製品、電池、玩具、食品、飲料品、染料、顔料、塗料、化粧用品、貴金属類、食器類、文房具類、運動用品、衣服、履物等があげられる。
【００１１】
表示を付する箇所は、外側から目視し得る箇所で、好ましくは、商品を陳列したときに一目で目につく箇所であり、例えば陳列後の商品の上面や前面等である。
表示を付する箇所は、具体的には例えば、商品の包装体の陳列後の上面や前面、商品と共に透明の袋体に入れられるシート等の台紙（例えば厚紙からなる台紙）、商品の包装体や商品が入れられた袋体に貼着されるラベル等である。また、表示を付する箇所は、商品の名称や内容などの商品に関する情報を示す表示や、宣伝を示す表示の近傍であっても、他の表示がない箇所であってもよい。
【００１２】
表示は、商品の税込価格で、しかも１０円及び１円の端数がない金額を含む「○○○円ぽっきり」、「税込み○○○円」又は「税込み○○○円ぽっきり」である。また、その表示中に含まれる「ぽっきり」を、「かっきり」、「のみ」、又は「だけ」に代えて表示してもよい。
【００１３】
表示に含まれる金額は、１０円及び１円の端数がない金額であり、例えば、１００円、２００円、３００円、４００円、５００円、６００円、７００円、８００円、９００円、１０００円、１５００円、２０００円、３０００円、５０００円、又は１００００円である
【００１４】
表示中の文字は、容易に識別することができれば特に限定されず、どのような大きさでもよい。
また、表示中の文字の色は、一般的に使われている色であればどのような色でもよく、例えば、黒色、赤色、青色、橙色、緑色、黄色、それらの蛍光色等が挙げられる。
また、表示は、文字だけでもよいし、文字を識別できる範囲で修飾したものでもよいし、また、文字のまわりを修飾して見栄えを向上させるようにしたものでもよい。
【００１５】
さて、「○○○円ぽっきり」、「税込み○○○円」又は「税込み○○○円ぽっきり」等の表示を商品の外側から目視し得る箇所である包装体、台紙やラベルに付す。この表示を付す手段は、どのようにしてもよく、例えば、商品の包装体、商品と共に透明の袋体に入れられるシート等の台紙（例えば厚紙からなる台紙）、商品の包装体や商品が入れられた袋体に貼着されるラベルに印刷によって行うようにしてもよいし、手書きによって行うようにしてもよい。
その表示を付したときには、予めその商品に付してあるバーコードからその商品の代金（支払金額（税込みの金額））が税込みで○○○円にレジ等で表示されるにシステムを代えておくようにする。
【００１６】
このように、「○○○円ぽっきり」、「税込み○○○円」又は「税込み○○○円ぽっきり」等の表示が商品の外側から目視し得る箇所に付されることにより、商品の売上を伸ばすことができる。
すなわち、商品の価格に関する表示が「○○○円ぽっきり」、「税込み○○○円」又は「税込み○○○円ぽっきり」等であると、定価（本体４８０円＋税）や定価（本体９８０円＋税）に比べて、頭の中で税金を計算してさらにその税金と本体価格とから支払金額を算出することなく、その商品の支払金額が一目でわかる。また、定価（本体４８０円＋税２４円）に比べても、計算することなくその商品の支払金額が一目でわかる。
【００１７】
また、支払金額の１０円及び１円の桁が０であるので、そこで初めて財布の中を見たとしても、容易に財布の中にその支払金額に見合うお金があるか把握することができ、すばやく支払を行える。その結果、レジをスムーズに通過することができるので、財布の中に支払金額があるかどうかで時間がかかることによるレジの混雑を解消することができる。また、レジにいる販売員も、おつりがある場合には、おつりが１０円及び１円の桁のものがないので、おつりをすぐに出せる。この点においてもレジの混雑を解消することにもつながる。
【００１８】
このように、少しでもレジの混雑が解消されれば、それだけレジに並ぶ時間が短くなるので、購買者の購買意欲が増すことになり、商品の売上を伸ばすことができることになる。また、１つの商品を買おうとするときに、レジに並ぶ人数及び時間がすくないと、またの機会にすることがなくなる。
【００１９】
また、購買者の中には、１つの商品を買うために代金を支払うとき、１円硬貨を含む複数の硬貨を支払うことを嫌がる人もいるがその心配もなくなる。また、おつりは１円及び１０円硬貨が含まれることがないといっていいので、財布がふくれることを抑えることができ、財布がふくれるから買わないということがなくなる。よって、売上が増えることになる。
【００２０】
また、表示に含まれる金額が、１００円、５００円、１０００円、２０００円、３０００円、５０００円、又は１００００円であると、硬貨１個や紙幣１、２枚で支払いを行えることになり、一層レジの混雑の解消、財布がふくれることを抑えられるので、購買意欲が増して、売上が増えることになる。
【００２１】
【発明の効果】
本発明により商品の売上を伸ばすことができる。